(57)【要約】【課題】  たとえばカードの発行に際して関連する情報を顧客にアピールしたい場合に、これらの関連情報をカード発行と同時にプリント発行することのできるカード発行機。【解決手段】  所定位置にセットされた提示物から個人の属性情報を光学的に読み取るための情報読取部（１１）と、台紙（３１）の一部にカード（３２）が剥離可能に設けられたカード付き帳票（３０）のカード部分に、情報読取部で読み取った属性情報をプリントするためのプリント部（１２）と、情報読取部およびプリント部の動作を制御するための制御部（１３）とを備えている。【選択図】  図２
2005238601.tif 000002
【特許請求の範囲】
【請求項１】
所定位置にセットされた提示物から個人の属性情報を光学的に読み取るための情報読取部と、
台紙の一部にカードが剥離可能に設けられたカード付き帳票の前記カード部分に、前記情報読取部で読み取った前記属性情報をプリントするためのプリント部と、
前記情報読取部および前記プリント部の動作を制御するための制御部とを備えていることを特徴とするカード発行機。
【請求項２】
前記情報読取部は、前記提示物を自動的に取り込むためのオートローディング機構、および前記提示物を載置するためのフラットベッドのうちの少なくとも一方を有することを特徴とする請求項１に記載のカード発行機。
【請求項３】
前記制御部は、前記情報読取部および前記プリント部の制御に関連する情報を表示し且つ入力するためのタッチパネルディスプレイを有することを特徴とする請求項１または２に記載のカード発行機。
【発明の詳細な説明】
【技術分野】
【０００１】
本発明は、カード発行機に関し、たとえばレンタルショップや量販店での会員証の発行に関するものである。
【背景技術】
【０００２】
従来、たとえばレンタルショップや量販店では、カード発行機を利用して新規顧客の会員証を即時発行することにより、顧客管理の向上などを図っている。
【発明の開示】
【発明が解決しようとする課題】
【０００３】
しかしながら、従来のカード発行機では、カードの発行に際して関連する情報を顧客にアピールしたい場合に、これらの関連情報をカード発行とは別にプリント発行する必要があり、利便性および即時性に欠けるという不都合があった。
【０００４】
本発明は、前述の課題に鑑みてなされたものであり、たとえばカードの発行に際して関連する情報を顧客にアピールしたい場合に、これらの関連情報をカード発行と同時にプリント発行することのできる利便性および即時性に富んだカード発行機を提供することを目的とする。
【課題を解決するための手段】
【０００５】
前記課題を解決するために、本発明では、所定位置にセットされた提示物から個人の属性情報を光学的に読み取るための情報読取部と、
台紙の一部にカードが剥離可能に設けられたカード付き帳票の前記カード部分に、前記情報読取部で読み取った前記属性情報をプリントするためのプリント部と、
前記情報読取部および前記プリント部の動作を制御するための制御部とを備えていることを特徴とするカード発行機を提供する。
【０００６】
本発明の好ましい態様によれば、前記情報読取部は、前記提示物を自動的に取り込むためのオートローディング機構、および前記提示物を載置するためのフラットベッドのうちの少なくとも一方を有する。また、前記制御部は、前記情報読取部および前記プリント部の制御に関連する情報を表示し且つ入力するためのタッチパネルディスプレイを有することが好ましい。
【発明の効果】
【０００７】
本発明のカード発行機では、たとえば免許証のような提示物から個人の属性情報を光学的に読み取り、台紙の一部にカードが剥離可能に設けられたカード付き帳票のカード部分に読み取った属性情報をプリントする。このとき、カード付き帳票を用いているので、カードへの属性情報のプリントと同時に、台紙に関連する所要情報を必要に応じてプリントすることができる。
【０００８】
すなわち、本発明では、たとえばカードの発行に際して関連する情報を顧客にアピールしたい場合に、これらの関連情報をカード発行と同時にプリント発行することのできる利便性および即時性に富んだカード発行機を実現することができる。
【発明を実施するための最良の形態】
【０００９】
本発明の実施形態を、添付図面に基づいて説明する。
図１は、本発明の実施形態にかかるカード発行機の外観を概略的に示す斜視図である。また、図２は、本実施形態にかかるカード発行機の内部の要部構成を概略的に示す図である。さらに、図３は、本実施形態において用いられるカード付き帳票の構成を概略的に示す図である。
【００１０】
本実施形態では、たとえばレンタルショップや量販店において顧客に会員証を即時発行するカード発行機に対して本発明を例示的に適用している。図１を参照すると、本実施形態のカード発行機１は、外観的に見て、提示物挿入口２と、フラットベッド３と、タッチパネルディスプレイ４と、カード出力口５とを備えている。
【００１１】
ここで、提示物挿入口２には、個人の属性情報が定型の書式にしたがって記載されたカード状の提示物、たとえば免許証などがスキャニングのために挿入される。また、フラットベッド３には、個人の属性情報が定型の書式にしたがって記載された可撓性に富んだ提示物、たとえば保険証などがスキャニングのために載置される。
【００１２】
図２を参照すると、本実施形態のカード発行機１は、内部要素として、スキャナー装置１１と、プリンター１２と、制御部１３とを備えている。スキャナー装置１１は、所定位置にセットされた免許証や保険証などから個人の属性情報（氏名、生年月日、住所など）を光学的に読み取る情報読取部を構成している。
【００１３】
たとえば提示物挿入口２に挿入された免許証は、オートローディング機構により自動的に取り込まれて、スキャナー装置１１の所定位置にセットされる。一方、たとえばフラットベッド３上の所定位置に載置された保険証は、その状態においてスキャナー装置１１の所定位置にセットされたことになる。
【００１４】
プリンター１２は、情報読取部としてのスキャナー装置１１で読み取った属性情報をカード付き帳票３０のカード３２の部分にプリントするためのプリント部を構成している。なお、カード付き帳票３０は、図３に示すように、必要に応じて所定の固定情報がプレ印刷された台紙３１の一部に、必要に応じて所定の固定情報がプレ印刷されたカード３２を剥離可能に設けることにより構成されている。
【００１５】
また、制御部１３は、たとえばパーソナルコンピュータと同様の機能を有し、スキャナー装置１１およびプリンター１２の動作を制御する。制御部１３には、スキャナー装置１１およびプリンター１２の制御に関連する情報を表示し且つ入力するためのタッチパネルディスプレイ４が接続されている。
【００１６】
本実施形態では、顧客から提示された免許証などを提示物挿入口２に挿入すると、挿入された免許証はオートローディング機構により自動的に取り込まれてスキャナー装置１１の所定位置にセットされる。あるいは、顧客から提示された保険証などをフラットベッド３上の所定位置に載置すると、載置された保険証はスキャナー装置１１の所定位置にセットされたことになる。
【００１７】
こうして、スキャナー装置１１は、所定位置にセットされた免許証または保険証から、個人の属性情報を光学的に読み取る。スキャナー装置１１において免許証または保険証から光学的に読み取られた属性情報は、制御部１３に供給される。制御部１３は、スキャナー装置１１から供給された情報に基づいて、たとえば内部の記憶装置内に顧客管理データを作成するとともに、プリンター１２に対してカード発行のための指令を供給する。
【００１８】
プリンター１２では、制御部１３からの指令に基づいて、スキャナー装置１１で読み取った属性情報をカード付き帳票３０のカード３２の部分にプリントする。具体的には、図３に示すように、たとえば顧客の氏名すなわち会員名３２ａを、属性情報としてカード３２の部分にプリントする。
【００１９】
さらに、スキャナー装置１１で読み取った属性情報以外の情報、たとえば顧客の識別コードとしての会員Ｎｏ３２ｂや識別バーコード３２ｃ、カードの有効期限３２ｄ、顧客の所望の画像情報３２ｅなどを、カード３２の部分にプリントする。ここで、会員Ｎｏ３２ｂ、識別バーコード３２ｃ、および有効期限３２ｄは、制御部１３の内部処理により発生した情報である。
【００２０】
また、画像情報３２ｅは、たとえばタッチパネルディスプレイ４に表示される複数の画像から入力により択一的に選択された画像である。あるいは、画像情報３２ｅは、たとえば顧客の好み（自由選択）にしたがってフラットベッド３上に載置した画像から光学的に取り込んだ情報である。なお、カード３２にはすべての固定情報または一部の固定情報がプレ印刷されていてもよいし、上述の可変情報のプリントと同時にすべての固定情報または一部の固定情報をプリントしてもよい。
【００２１】
また、プリンター１２は、制御部１３からの指令に基づいて、所要の情報をカード付き帳票３０の台紙３１の部分にプリントする。具体的には、図３に示すように、たとえば会員名３１ａ、会員Ｎｏ３１ｂ、および入会日３１ｃのような可変情報を、台紙３１の部分にプリントする。
【００２２】
また、図示を省略したが、カード３２の発行に際して顧客にアピールしたい情報（カードの約款、使用方法、各種案内、広告など）を含む関連情報（可変情報＋固定情報）を、台紙３１の部分にプリントする。なお、台紙３１にはすべての固定情報または一部の固定情報がプレ印刷されていてもよいし、上述の可変情報のプリントと同時にすべての固定情報または一部の固定情報をプリントしてもよい。
【００２３】
こうして、所要の情報がプリントされたカード付き帳票３０は、カード出力口５を介してカード発行機１の外部へ出力される。カード付き帳票３０は、上述したように、台紙３１の一部にカード３２を剥離可能に設けることにより構成されている。したがって、カード出力口５から外部へ出力されたカード付き帳票３０の台紙３１からカード３２を容易に剥離させることにより、即時に使用可能で安価な会員証３２が得られる。会員証３２は、識別バーコード３２ｃが設けられているので、たとえばポイントカードとしても使用可能である。
【００２４】
以上のように、本実施形態のカード発行機１では、たとえば免許証のような提示物から個人の属性情報を光学的に読み取り、台紙３１の一部にカード３２が剥離可能に設けられたカード付き帳票３０のカード３２の部分に読み取った属性情報をプリントしている。このとき、カード付き帳票３０を用いているので、カード３２への属性情報のプリントと同時に、台紙３１に関連する所要情報を必要に応じてプリントすることができる。
【００２５】
その結果、本実施形態では、会員証のようなカードの発行に際して関連する情報を顧客にアピールしたい場合に、これらの関連情報をカード発行と同時にプリント発行することのできる利便性および即時性に富んだカード発行機を実現することができる。なお、本実施形態のカード発行機１では、タッチパネルディスプレイ４を介して顧客自身が操作する無人化も可能である。
【００２６】
なお、上述の実施形態では、レンタルショップや量販店において顧客に会員証を即時発行するカード発行機に対して本発明を例示的に適用している。しかしながら、これに限定されることなく、たとえばテレフォンバンキングの利用カードの発行（無人発行）、個人ホビー用カード（写真入りプリクラ版）の発行、個人ホビー用グリーティングカードの発行、子供ホビー用カード（戦闘カード）の発行など、一般的なカードの発行に対して本発明を適用することもできる。
【図面の簡単な説明】
【００２７】
【図１】本発明の実施形態にかかるカード発行機の外観を概略的に示す斜視図である。
【図２】本実施形態にかかるカード発行機の内部の要部構成を概略的に示す図である。
【図３】本実施形態において用いられるカード付き帳票の構成を概略的に示す図である。
【符号の説明】
【００２８】
１  カード発行機
２  提示物挿入口
３  フラットベッド
４  タッチパネルディスプレイ
５  カード出力口
１１  スキャナー装置（情報読取部）
１２  プリンター（プリント部）
１３  制御部
３０  カード付き帳票
３１  台紙
３２  カード
【図１】
2005238601.tif 000003
【図２】
2005238601.tif 000004
【図３】
2005238601.tif 000005